(57)【要約】【課題】  撮影依頼時における操作ミスや破損事故等のトラブルを防止し、利便性、汎用性を向上させること。【解決手段】  光学像を電気信号に変換して画像データを生成する撮像部１１と、第１撮像装置Ａから送信された撮影依頼情報を受信する外部Ｉ／Ｆ１８と、外部１／Ｆ１８から受信した撮影依頼情報に対応する画像処理条件に基づいて、撮像部１１により生成された画像データに画像処理を施す撮像部１１と、撮像部１１により画像処理が施された画像データを第１撮像装置Ａに送信する外部Ｉ／Ｆ１８と、外部Ｉ／Ｆ１８が撮影依頼情報を受信した場合、撮像部１１に画像データを生成させ、生成された画像データに対して画像処理を施させ、外部１／Ｆ１８に画像処理が施された画像データを第１撮像装置Ａに送信するよう制御する制御部１０と、を備える第２撮像装置Ｂ。【選択図】図１
2006237838.tif 000002
【特許請求の範囲】
【請求項１】
光学像を電気信号に変換して画像情報を生成する撮像手段と、
他の撮像装置から送信された撮影依頼情報を受信する受信手段と、
前記受信手段から受信した撮影依頼情報に対応する画像処理条件に基づいて、前記撮像手段により生成された画像情報に画像処理を施す画像処理手段と、
前記画像処理手段により画像処理が施された画像情報を前記他の撮像装置に送信する送信手段と、
前記受信手段が前記撮影依頼情報を受信した場合、前記撮像手段に画像情報を生成させ、前記画像処理手段に生成された画像情報に対して画像処理を施させ、前記送信手段に画像処理が施された画像情報を前記他の撮像装置に送信するよう制御する制御手段と、
を備えることを特徴とする撮像装置。
【請求項２】
前記画像情報を記憶する記憶手段を備え、
前記送信手段は、前記記憶手段に記憶された画像情報を送信し、
前記制御手段は、前記記憶手段に記憶された画像情報が送信された場合、当該画像情報を消去すること、
を特徴とする請求項１に記載の撮像装置。
【請求項３】
前記画像情報を記憶する記憶手段を備え、
前記制御手段は、前記撮像手段によって画像情報が生成されてから予め設定された時間が経過した場合、前記記憶手段に記憶された画像情報を消去すること、
を特徴とする請求項１又は２に記載の撮像装置。
【請求項４】
前記制御手段は、前記受信手段が受信した撮影依頼情報に基づいて、前記他の撮像装置の画像処理条件と自機の画像処理条件との整合性を判別する判別手段を有し、当該判別手段の判別結果に従って前記画像処理手段の動作を制御すること、
を特徴とする請求項１から３のいずれか一項に記載の撮像装置。
【請求項５】
前記他の撮像装置から送信される撮影依頼情報は、他の撮像装置において処理可能な複数の依頼画像処理条件と、当該複数の依頼画像処理条件から選択され設定されている設定依頼画像処理条件とを含み、
前記記憶手段には、自機において処理可能な複数の画像処理条件と、当該複数の画像処理条件から選択され設定されている設定画像処理条件とを記憶しており、
前記制御手段は、前記受信手段が前記複数の依頼画像処理条件及び設定依頼画像処理条件を受信した場合、当該複数の依頼画像処理条件及び設定依頼画像処理条件に基づいて前記記憶手段に記憶されている前記設定画像処理条件を変更し、前記撮像手段に画像情報を生成させた後、前記画像処理手段に生成された画像情報に対して変更された設定画像処理条件に基づいて画像処理を施させ、前記送信手段に画像処理が施された画像情報を前記他の撮像装置に送信するよう制御すること、
を特徴とする請求項１から３のいずれか一項に記載の撮像装置。
【請求項６】
前記制御手段は、前記受信手段が前記複数の依頼画像処理条件及び設定依頼画像処理条件を受信した場合、前記記憶手段に記憶されている設定画像処理条件を前記記憶手段内に保持し、前記複数の依頼画像処理条件及び設定依頼画像処理条件に基づいて設定画像処理条件を変更させて撮影させ生成された画像情報を削除した場合、前記記憶手段に保持された設定画像処理条件を読み出して再度設定し直すこと、
を特徴とする請求項５に記載の撮像装置。
【請求項７】
複数の依頼画像処理条件と、当該複数の依頼画像処理条件から選択され設定されている設定依頼画像処理条件とを含む撮影依頼情報が記憶されている記憶手段と、
前記撮影依頼情報を他の撮像装置に送信する送信手段と、
前記他の撮像装置から画像情報を受信する受信手段と、
前記記憶手段に記憶されている撮影依頼情報を送信するよう前記送信手段を制御し、前記他の撮像装置から前記受信手段を介して画像情報を受信するよう制御する制御手段と、
を備えることを特徴とする撮像装置。
【請求項８】
コンピュータを、
光学像を電気信号に変換して画像情報を生成する撮像手段と、
他の撮像装置から送信された撮影依頼情報を受信する受信手段と、
前記受信手段から受信した撮影依頼情報に対応する画像処理条件に基づいて、前記撮像手段により生成された画像情報に画像処理を施す画像処理手段と、
前記画像処理手段により画像処理が施された画像情報を前記他の撮像装置に送信する送信手段と、
前記受信手段が前記撮影依頼情報を受信した場合、前記撮像手段に画像情報を生成させ、前記画像処理手段に生成された画像情報に対して画像処理を施させ、前記送信手段に画像処理が施された画像情報を前記他の撮像装置に送信するよう制御する制御手段と、
として機能させるためのプログラム。
【請求項９】
コンピュータを、
複数の依頼画像処理条件と、当該複数の依頼画像処理条件から選択され設定されている設定依頼画像処理条件とを含む撮影依頼情報が記憶されている記憶手段と、
前記撮影依頼情報を他の撮像装置に送信する送信手段と、
前記他の撮像装置から画像情報を受信する受信手段と、
前記記憶手段に記憶されている撮影依頼情報を送信するよう前記送信手段を制御し、前記他の撮像装置から前記受信手段を介して画像情報を受信するよう制御する制御手段と、
として機能させるためのプログラム。
【発明の詳細な説明】
【技術分野】
【０００１】
本発明は、撮像素子で取得された動画や静止画をデジタルデータとして取得するデジタルカメラ等の撮像装置及びプログラムに関する。
【背景技術】
【０００２】
旅行中などで自身（依頼者）が所持している撮像装置を用いて第三者（被依頼者）に撮影を依頼する場合、撮像装置は、依頼者から被依頼者へ手渡され、被依頼者によって依頼者を含む画像が撮影された後、被依頼者から依頼者へ手渡される。このような場合、被依頼者は、使い慣れていない他人の撮像装置で撮影を行うことになるため、依頼者から撮像装置の操作手順等の説明を受けてから撮影を行うこととなる。従って、撮影までに時間や手間がかかると共に、操作ミスが生じる怖れがある。
【０００３】
そこで、使用者（依頼者）の母語と異なる言語を使用している者（被依頼者）に対して撮影を依頼する際、撮影装置の操作手順の説明負荷の低減及び操作ミスを低減させるために、互いに異なる第１および第２の言語で表現された同一の意味内容を有する複数のメッセージを記憶する記憶手段から、設定された第２の言語によるメッセージを読み出し、読み出されたメッセージを出力するカメラ装置が開示されている（特許文献１参照）。
【特許文献１】特開２０００４−８６００８号公報
【発明の開示】
【発明が解決しようとする課題】
【０００４】
しかしながら、撮影依頼や撮影方法をメッセージとして表示させるだけでは、被依頼者にとっては、撮像装置の具体的な操作手順や操作ボタン等を把握することは困難であり、使い勝手のよいものではない。また、近年、デジタルカメラが普及しており、依頼者及び被依頼者共にデジタルカメラを所持していることが多く、使い慣れていない他人のデジタルカメラ（撮像装置）を操作する場合、操作ミスに限らず撮像装置を落下させたり破損させたりする等のトラブルが発生する怖れがある。
【０００５】
本発明の課題は、異なる機種の撮像装置間において、撮影依頼時における操作ミスや破損事故等のトラブルを防止し、利便性、汎用性を向上させることである。
【課題を解決するための手段】
【０００６】
請求項１に記載の発明は、光学像を電気信号に変換して画像情報を生成する撮像手段と、他の撮像装置から送信された撮影依頼情報を受信する受信手段と、前記受信手段から受信した撮影依頼情報に対応する画像処理条件に基づいて、前記撮像手段により生成された画像情報に画像処理を施す画像処理手段と、前記画像処理手段により画像処理が施された画像情報を前記他の撮像装置に送信する送信手段と、前記受信手段が前記撮影依頼情報を受信した場合、前記撮像手段に画像情報を生成させ、前記画像処理手段に生成された画像情報に対して画像処理を施させ、前記送信手段に画像処理が施された画像情報を前記他の撮像装置に送信するよう制御する制御手段と、を備える撮像装置であること、を特徴としている。
更に、コンピュータに対して、上述した請求項１に記載の発明に示した主要手段を機能させるためのプログラムを提供する（請求項８に記載の発明）。
【０００７】
請求項２に記載の発明は、請求項１に記載の撮像装置において、前記画像情報を記憶する記憶手段を備え、前記送信手段は、前記記憶手段に記憶された画像情報を送信し、前記制御手段は、前記記憶手段に記憶された画像情報が送信された場合、当該画像情報を消去すること、を特徴としている。
【０００８】
請求項３に記載の発明は、請求項１又は２に記載の撮像装置において、前記画像情報を記憶する記憶手段を備え、前記制御手段は、前記撮像手段によって画像情報が生成されてから予め設定された時間が経過した場合、前記記憶手段に記憶された画像情報を消去すること、を特徴としている。
【０００９】
請求項４に記載の発明は、請求項１から３のいずれか一項に記載の撮像装置において、前記制御手段は、前記受信手段が受信した撮影依頼情報に基づいて、前記他の撮像装置の画像処理条件と自機の画像処理条件との整合性を判別する判別手段を有し、当該判別手段の判別結果に従って前記画像処理手段の動作を制御すること、を特徴としている。
【００１０】
請求項５に記載の発明は、請求項１から３のいずれか一項に記載の撮像装置において、前記他の撮像装置から送信される撮影依頼情報は、他の撮像装置において処理可能な複数の依頼画像処理条件と、当該複数の依頼画像処理条件から選択され設定されている設定依頼画像処理条件とを含み、前記記憶手段には、自機において処理可能な複数の画像処理条件と、当該複数の画像処理条件から選択され設定されている設定画像処理条件とを記憶しており、前記制御手段は、前記受信手段が前記複数の依頼画像処理条件及び設定依頼画像処理条件を受信した場合、当該複数の依頼画像処理条件及び設定依頼画像処理条件に基づいて前記記憶手段に記憶されている前記設定画像処理条件を変更し、前記撮像手段に画像情報を生成させた後、前記画像処理手段に生成された画像情報に対して変更された設定画像処理条件に基づいて画像処理を施させ、前記送信手段に画像処理が施された画像情報を前記他の撮像装置に送信するよう制御すること、を特徴としている。
【００１１】
請求項６に記載の発明は、請求項５に記載の撮像装置において、前記制御手段は、前記受信手段が前記複数の依頼画像処理条件及び設定依頼画像処理条件を受信した場合、前記記憶手段に記憶されている設定画像処理条件を前記記憶手段内に保持し、前記複数の依頼画像処理条件及び設定依頼画像処理条件に基づいて設定画像処理条件を変更させて撮影させ生成された画像情報を削除した場合、前記記憶手段に保持された設定画像処理条件を読み出して再度設定し直すこと、を特徴としている。
【００１２】
請求項７に記載の発明は、複数の依頼画像処理条件と、当該複数の依頼画像処理条件から選択され設定されている設定依頼画像処理条件とを含む撮影依頼情報が記憶されている記憶手段と、前記撮影依頼情報を他の撮像装置に送信する送信手段と、前記他の撮像装置から画像情報を受信する受信手段と、前記記憶手段に記憶されている撮影依頼情報を送信するよう前記送信手段を制御し、前記他の撮像装置から前記受信手段を介して画像情報を受信するよう制御する制御手段と、を備える撮像装置であることを特徴としている。
更に、コンピュータに対して、上述した請求項７に記載の発明に示した主要手段を機能させるためのプログラムを提供する（請求項９に記載の発明）。
【発明の効果】
【００１３】
請求項１、８に記載の発明によれば、他の撮像装置から撮影依頼情報を受信した場合、撮影依頼情報に対応する画像処理条件に基づいて画像情報が生成され、生成された画像情報が他の撮像装置に送信されることにより、他の撮像装置を操作せずに使い慣れた自身の撮像装置で撮影を行うことができるため、操作ミスや破損事故等のトラブルを防止しすることができ、他の撮像装置を所持する依頼者及び自機を所持する被依頼者相互に対する利便性、汎用性を向上させることができる。
【００１４】
請求項２に記載の発明によれば、請求項１と同様の効果を得られるのは勿論のこと、画像情報が送信された後、当該画像情報が削除されることにより、他の撮像装置に関する画像データの無断利用を避ける共に、自機が備える記憶手段の負担を軽減でき、有効活用することができる。
【００１５】
請求項３に記載の発明によれば、請求項１又は２と同様の効果を得られるのは勿論のこと、画像情報が生成されてから予め設定された時間が経過した場合、画像情報が削除されることにより、他の撮像装置に関する画像データの無断利用を避ける共に、自機が備える記憶手段の負担を軽減でき、有効活用することができる。
【００１６】
請求項４に記載の発明によれば、請求項１から３のいずれか一項と同様の効果を得られるのは勿論のこと、撮影依頼情報に基づいて他の撮像装置の画像処理条件と自機の画像処理条件との整合性が判別されて撮影動作が実行されるため、他の撮像装置を所持する依頼者の所望の画像情報を生成することができる。
【００１７】
請求項５に記載の発明によれば、請求項１から３のいずれか一項と同様の効果を得られるのは勿論のこと、他の撮像装置から受信した複数の依頼画像処理条件及び設定依頼画像処理条件に基づいて、自機の設定画像処理条件が変更され、変更された設定画像処理条件に基づいて画像処理が施された画像情報が他の撮像装置に送信されるため、他の撮像装置を所持する依頼者の所望の画像情報を生成することができる。
【００１８】
請求項６に記載の発明によれば、請求項５と同様の効果を得られるのは勿論のこと、
他の撮像装置から受信した依頼画像処理条件及び設定依頼画像処理条件に基づいて変更された自機の設定画像処理条件を元の設定画像処理条件に容易に戻すことができるため、自機を所持する被依頼者に対する利便性を向上し得ることができる。
【００１９】
請求項７、９に記載の発明によれば、他の撮像装置に自機の撮影依頼情報を送信し、自機の撮影依頼情報を受信した他の撮像装置から、画像情報を受信することができるため、自機を用いずに画像情報を取得することができ汎用性を向上させることができる。
【発明を実施するための最良の形態】
【００２０】
以下、図を参照して本発明の実施の形態を詳細に説明する。なお、この発明はこの実施の形態に限定されるものではない。また、この発明の実施の形態は、発明の最も好ましい形態を示すものであり、この発明の用語はこれに限定されない。
【００２１】
本実施の形態では、撮影を依頼する依頼者が所持する第１撮像装置Ａと、撮影を依頼される被依頼者が所持する第２撮像装置Ｂとが相互に通信可能に接続可能な構成である。
【００２２】
まず、構成を説明する。
図１に、本実施の形態における第２撮像装置Ｂの構成要素を示すブロック図を示す。
【００２３】
図１に示すように、第１撮像装置Ａと第２撮像装置Ｂとが相互に通信可能に接続されており、第２撮像装置Ｂは、制御部１０、撮像部１１、表示部１２、ファインダ部１３、入力部１４、画像処理用メモリ１５、記憶部１６、メモリカードＩ／Ｆ１７及び外部Ｉ／Ｆ１８を備え、各部はバス１９により互いに電気的に接続されてなる。
【００２４】
制御部１０は、特に図示しないＣＰＵ（Central Processing Unit）、内部ＲＡＭ（Random Access Memory）、及びＲＯＭ（Read Only Memory）などを備え、ＣＰＵが前記内部ＲＡＭの所定領域を作業領域としてＲＯＭに格納されている各種制御プログラム又は各種データに従い、上記各部に制御信号を送って第２撮像装置Ｂの動作全般を統括制御する。なお、上述の作業領域や各種プログラムの格納先は後述する記憶部１６であってもよい。
【００２５】
具体的に制御部１０は、撮像レンズ及びミラー等のレンズ・ミラーブロック、ＣＣＤ等の撮像素子、その駆動系のほか、測距センサ、光量センサ、アナログ処理回路、信号処理回路などを備えた撮像部１１の光学ズームを調節したり、オートフォーカス時の駆動制御、シャッタ駆動制御、露出、ホワイトバランスなどを制御したりする。この撮像レンズ系には、ズームレンズ系が含まれており、その中の移動レンズの位置をズームイン／ズームアウトの操作に応じて可変することで画角が調整される。その際、制御部１０は、現在のズーム倍率を移動レンズの位置に応じて監視するようにしている。
【００２６】
また、制御部１０は、撮像部１１によって撮像されて信号処理された画像情報としての画像データを画像処理用メモリ１５に送り、一時記憶させる。そして、画像処理用メモリ１５内の画像データは制御部１０の指示により表示部１２又はファインダ部１３に送られて表示される。また制御部１０は、入力部１４に設けられている特に図示しないシャッターボタンの操作に応じ、通常の撮影モードの場合には、画像処理用メモリ１５内の画像データを設定された設定画像処理条件に基づいて圧縮符号化処理した後にメモリカードＩ／Ｆ１７に送り特に図示しないメモリカードに設定されたファイル形式で記録保存させ、依頼撮影モードの場合には、画像処理用メモリ１５内の画像データを設定された設定画像処理条件に基づいて圧縮符号化処理した後に記憶部１６内の依頼画像記憶エリアに保存させる。
【００２７】
制御部１０は、複数の撮影モードを有し、自機に予め記憶されている複数の画像処理条件から選択され設定された設定画像処理条件に基づいて画像が撮影される通常の撮影モードと、撮影依頼モード設定処理において他の撮像装置から受信した撮影依頼情報に基づいて変更された設定画像処理条件に基づいて画像が撮影される撮影依頼モードとの設定選択が可能となっている。
【００２８】
更に制御部１０は、本実施の形態を実現させるために、撮影を他の撮像装置（第１撮像装置Ａ）から依頼された場合、即ち、外部Ｉ／Ｆ１８を介して第１撮像装置Ａから複数の依頼画像処理条件及び当該複数の依頼画像処理条件から選択され設定されている設定依頼画像処理条件を含む撮影依頼情報に基づいて、第１撮像装置Ａの画像処理条件と自機の画像処理条件との整合性を判別し、設定画像処理条件を変更して撮影を行わせ、生成された画像データを記憶部１６の依頼画像記憶エリアに記憶させ、生成された画像データの送信要求がある場合、依頼画像記憶エリアに記憶された画像データを第１撮像装置Ａに送信する判別手段及び制御手段を実現する。
【００２９】
表示部１２は、例えば、ＬＣＤ（Liquid Crystal Display)などによって構成され、撮影時の確認画面、画像再生画面、入力操作画面、メッセージ画面として使用されるもので、その解像度を撮像部１１内の撮像素子の解像度と略同様とした高精細ディスプレイである。
【００３０】
ファインダ部１３は、撮像方向からの光が入射される対物レンズ、制御部１０からの入力される指示に従ってフレーム、視野枠、又は各種データの表示を行うファインダ用ＬＣＤ、入射される光束を利用者の眼に導く接眼レンズ、及び対物レンズとファインダ用ＬＣＤからの光を導光して接眼レンズへ導くプリズムなどにより構成される。ユーザは、ファインダ部１３からの画像を確認することで、撮像範囲（構図）、絞り、シャッタースピードなどの撮像に関する情報を容易に知ることができる。なお、表示部１２において撮像した画像に視野枠や各種データを加えて表示し、ファインダ部１３に関する機能を実現する構成であっても良い。
【００３１】
入力部１４は、各種データ及びコマンドを入力するもので、電源ボタン、「半押し」又は「全押し」の２段階ストロークで押下操作が可能なシャッターボタンのほか、他の各種設定を行うための選択ボタンなどが設けられている。
【００３２】
画像処理用メモリ１５、電気的に消去及び書き換えが可能な不揮発メモリであるＥＥＰＲＯＭ（Electrically Erasable and Programmable ROM）やフラッシュメモリなどにより構成される。画像処理用メモリ１５は、各種画像処理時に一時的に画像データを格納するメモリであり、揮発メモリで構成されても良い。
【００３３】
記憶部１６は、電気的に消去及び書き換えが可能な不揮発メモリであるＥＥＰＲＯＭやフラッシュメモリなどにより構成される。プログラム記憶領域、データ記憶領域、及び作業領域、撮影を依頼された場合の撮影時に生成される画像データを保持する依頼画像記憶エリアを有する構成となっている。このプログラム領域には、後述するフローチャートに示す動作手順で本実施の形態に関する動作を実現するためのプログラムや、複数の画像処理条件及び当該複数の画像処理条件から選択され設定されている設定画像処理条件を含む撮影情報、また、当該撮像装置を特定するための識別情報としての機種コード等の各種データが格納される記憶手段である。
【００３４】
更に、記憶部１６は、撮影依頼時において、第１撮像装置Ａから受信された複数の依頼画像処理条件及び当該依頼画像処理条件から選択され設定されている設定依頼画像処理条件を含む撮影依頼情報及び第１撮像装置Ａの機種コードを一時的に記憶する。
【００３５】
画像処理条件は、第２撮像装置Ｂにおいて、ＱＶＧＡ（Quarter VGA）、ＶＧＡ（Video Graphics Array）等の画像データの画像サイズ、ＪＰＥＧ（Joint Photographic Experts Group）、ＧＩＦ（Graphic Interchange Format）等の画像データのファイル形式、各ファイル形式にする際において画像データを圧縮符号化処理する際の圧縮率等であり、入力部１４の操作指示に基づいて、ユーザが任意に設定可能な情報である。複数の画像処理条件から選択され設定されている設定画像処理条件が異なることにより、第２撮像装置Ｂによって撮影された画像の解像度や画質が異なる。
【００３６】
依頼画像処理条件は、第１撮像装置Ａにおいて設定可能な画像サイズ、ファイル形式、圧縮率等であり、第１撮像装置Ａの入力部の操作指示に基づいて、ユーザが任意に設定可能な情報である。
【００３７】
メモリカードＩ／Ｆ１７は、特に図示しないメモリカードが着脱自在に装着されるインターフェイスであり、画像データなどをメモリカードに転送する。メモリカードは、着脱自在で不揮発性の記録メディアであり、例えば、スマートメディア、ＩＣカードなどが挙げられる。
【００３８】
外部Ｉ／Ｆ１８は、外部機器としてのデータ処理装置（パーソナルコンピュータなど）や第１撮像装置Ａが接続されるもので、有線あるいは無線通信により所定の通信プロトコルに基づいて行なわれる撮影依頼情報、機種コード、画像データ及び各種データの送受信を制御する送信手段及び受信手段である。無線通信である場合には、Bluetoothや赤外線等の短距離無線通信が各種データの漏洩を防止する点において好ましい。
【００３９】
ここで、図２に、撮像部１１の内部構成を模式的に示す。
撮像部１１は、センサ部１１１、光学系駆動部１１２、駆動回路１１３、撮像素子１１４、アナログ処理回路１１５、Ａ／Ｄ回路１１６、バッファ１１７、信号処理回路１１８、圧縮伸長回路１１９、レンズ１２０及びシャッタ１２１を備え、制御部１０の指示により撮像された画像データを生成し、所定の形式に変換して画像処理用メモリ１５に出力する撮像手段及び画像処理手段である。
【００４０】
センサ部１１１は、特に図示しない赤外投光部及び受光部による測距回路とＣｄＳなどの光電導体による露光回路とから構成され、撮像方向にある撮像対象の距離値と露出値を制御部１０へ出力する。
【００４１】
光学系駆動部１１２は、後述するレンズ１２０、シャッタ１２１をステッピングモータなどにより駆動する回路であり、上述のセンサ部１１１により得られる距離値や露出値に応じた撮像部１１の指示により、撮像素子１１４で結像する画像が撮像対象に合焦するようなレンズ１２０の移動と撮像素子１１４に入光する光量が適正となるようなシャッタ１２１による露出制御とを行う。
【００４２】
駆動回路１１３は、撮像素子１１４によって光電変換された各画素対応の電荷を画像信号として順次取出してアナログ処理回路１１５に与える。具体的には、撮像素子１１４は、ＣＣＤ又はＣＭＯＳ（Complementary Metal Oxide Semiconductor）などの光センサにより構成され、当該撮像素子上に結像される画像を各画素対応の画像信号として出力する。
【００４３】
アナログ処理回路１１５は、撮像素子１１４から出力される画像信号のノイズを低減させるＣＤＳ（Correlated Double Sampling：相関二重サンプリング）回路、信号の増幅を行うＡＧＣ（Automatic Gain Control：自動利得制御）回路、入力された画像信号における色差信号の差を利用して、Ｒ・Ｇ・Ｂの各色の色差成分に分離させる色分離回路、及びそのＲ・Ｇ・Ｂの各色差成分のバランスが同等になるように調整されるホワイトバランス制御回路などにより、所定のアナログ信号処理を行い、Ａ／Ｄ回路１１６へアナログ画像信号を出力する。
【００４４】
Ａ／Ｄ回路１１６は、アナログ処理回路１１５から出力されるアナログ画像信号をデジタル画像信号に変換し、バッファ１１７へ出力する。バッファ１１７は、Ａ／Ｄ回路１１６で変換されたデジタル画像信号を一時的に記憶し、制御部１０の指示により信号処理回路１１８又は圧縮伸長回路１１９へ順次出力する。
【００４５】
信号処理回路１１８は、特に図示しないＤＳＰ（Digital Signal Processor）などで構成され、入力されたデジタル画像信号に対し、輝度処理、色処理、又は所定の閾値による比較検出処理などの各種画像処理を施して出力する。
【００４６】
圧縮伸長回路１１９は、入力されるデジタル画像信号を所定の符号化方式で圧縮又は復号化して画像データとして制御部１０へ出力する。なお、ここにおける圧縮／伸長は、互いに可逆的であってもよいが、不可逆的に圧縮を行うものであっても良い。例えば、ＡＤＣＴ（Adaptive Discrete Cosine Transform：適応離散コサイン変換）、エントロピー符号化方式であるハフマン符号化などの処理によるＪＰＥＧ（Joint Photographic Experts Group）画像への変換などで良い。
【００４７】
レンズ１２０は、撮像対象の像を前述の撮像素子１１４上に結像（合焦）するように調節可能なレンズである。なお、画角調整手段としてのレンズ１２０は、特に図示しない複数のレンズ群により画角が可能に構成される。具体的には、被写体側から第１群に焦点調節のためのレンズ群（フォーカス）、第２群に変倍（画角調整）のためのレンズ群（バリエータ）、第３群に変倍に伴う像の補正を行うレンズ群（コンペンセータ）、第４群に結像用にレンズ群（リレー）を備え、バリエータの位置調整による画角調整とコンペンセータの位置調整による画像のピント調整とを行う。
【００４８】
シャッタ１２１は、レンズ１２０と撮像素子１１４との間に配され、複数枚のシャッタ羽根などにより開口径と開閉時間（露光時間）とを制御可能に構成される。
【００４９】
第１撮像装置Ａは、第２撮像装置Ｂと略同様の構成であるため、異なる部分のみ説明し、図示及びその他の説明は省略する。
【００５０】
第１撮像装置Ａは、撮像部によって撮像されて信号処理された画像データを生成し保存する機能を有すると共に、他の撮像装置（第２撮像装置Ｂ）に撮影を依頼する際、自機の撮影情報を撮影依頼情報（複数の依頼画像処理条件及び設定依頼画像処理条件）としてを自機の識別コードと共に第２撮像装置Ｂに送信する。また、第２撮像装置Ｂから依頼した画像データを受信し保持する機能を有する。
【００５１】
なお、本実施の形態においては、説明を簡略化するために第１撮像装置Ａを撮影を依頼する依頼者が操作する撮像装置とし、第２撮像装置Ｂを撮影を依頼された被依頼者が操作する撮像装置として説明するが、両者の立場が逆転された場合（即ち、第１撮像装置Ａを撮影を依頼された被依頼者が操作する撮像装置とし、第２撮像装置Ｂを撮影を依頼する依頼者が操作する撮像装置とする場合）であってもよく、相互に同様の機能を有している。
【００５２】
次に、本実施の形態の動作を説明する。
まず、図３及び図４を参照して第１撮像装置Ａの動作について説明する。当該処理及びその処理において実行される各処理は、第１撮像装置Ａが備える制御部と記憶部に記憶されたプログラム及び各種データ及び各部との協働によるソフトウェア処理により実現される。
【００５３】
図３に、本実施の形態における第１撮像装置Ａが第２撮像装置Ｂに撮影を依頼するときの撮影依頼処理を示す。
【００５４】
まず、第１撮像装置Ａの入力部が依頼者によって操作されることにより、第２撮像装置Ｂに対して撮影を依頼するための撮影依頼信号が送信される（ステップＳ１）。撮影依頼信号が送信された後、第２撮像装置Ｂから撮影依頼を受諾する旨を示す受諾信号を受信したか否かが判別される（ステップＳ２）。
【００５５】
受諾信号が受信されないと判別された場合（ステップＳ２；Ｎｏ）、第２撮像装置Ｂにおいて撮影を依頼することができないと判別し、撮影依頼処理が終了される。
【００５６】
受諾信号が受信されたと判別された場合（ステップＳ２；Ｙｅｓ）、撮影依頼情報が生成され（ステップＳ３）、生成された撮影依頼情報と第１撮像装置Ａの機種コードとが共に第２撮像装置Ｂに送信（ステップＳ４）されることにより、撮影依頼処理が終了される。
【００５７】
図４に、本実施の形態における第１撮像装置Ａが第２撮像装置Ｂから依頼した画像データを受信するときの依頼画像データ受信処理を示す。
【００５８】
第１撮像装置Ａの入力部が依頼者によって操作されることにより、第２撮像装置Ｂに対して、自機の機種コードと共に画像データの送信を要求する画像送信要求信号が送信される（ステップＳ１１）。
【００５９】
画像送信要求信号が送信された後、第２撮像装置Ｂから送信不可信号が受信されたか否かが判別される（ステップＳ１２）。
【００６０】
送信不可信号が受信されたと判別された場合（ステップＳ１２；Ｙｅｓ）、画像データを受信することができない旨を報知する画像受信不可画面が表示部に表示され（ステップＳ１３）、依頼画像データ受信処理が終了される。
【００６１】
送信不可信号が受信されていないと判別された場合（ステップＳ１２；Ｎｏ）、画像データが受信されているか否かが判別され（ステップＳ１４）、画像データが受信されていないと判別された場合（ステップＳ１４；Ｎｏ）、ステップＳ１１に戻る。
【００６２】
画像データが受信されていると判別された場合（ステップＳ１４；Ｙｅｓ）、画像データを受信状態である旨が第２撮像装置Ｂに送信され（ステップＳ１５）、第２撮像装置Ｂから画像データ全てを受信した旨を示す画像送信完了信号が受信されたか否かが判別される（ステップＳ１６）。
【００６３】
画像送信完了信号が受信されていないと判別された場合（ステップＳ１６；Ｎｏ）、ステップＳ１１に戻る。
【００６４】
画像送信完了信号が受信されたと判別された場合（ステップＳ１６；Ｙｅｓ）、受信した画像データがメモリカードＩ／Ｆを介したメモリカードに保存され（ステップＳ１７）、依頼画像データ受信処理が終了される。
【００６５】
第２撮像装置Ｂに自機の撮影依頼情報を送信し、自機の撮影依頼情報を受信した第２撮像装置Ｂから、画像データを受信することができるため、自機を用いずに画像データを取得することができ汎用性を向上させることができる。
【００６６】
次に、図５から８を参照して、第２撮像装置Ｂの動作について説明する。当該処理及びその処理において実行される各処理は、第２撮像装置Ｂが備える制御部１０と記憶部１６に記憶されたプログラム及び各種データ及び各部との協働によるソフトウェア処理により実現される。なお、このメインフローは、第２撮像装置Ｂに電源が供給されている間において実行されるものである。
【００６７】
図５に、本実施の形態における第２撮像装置Ｂのメインフローを示す。
第１撮像装置Ａから撮影依頼信号が受信されたか否かが判別される（ステップＳ２１）。撮影依頼信号が受信されたと判別した場合（ステップＳ２１；Ｙｅｓ）、撮影依頼の受諾を選択指示するよう報知する受諾選択画面が表示部１２に表示される（ステップＳ２２）。
【００６８】
受諾選択画面を視認した被依頼者は、入力部１４を操作して撮影依頼を受諾するか否かの選択を行う。入力部１４からの操作指示に基づいて、撮影依頼の受諾が選択指示されたか否かが判別される（ステップＳ２３）。
【００６９】
撮影依頼の受諾が選択指示されたと判別された場合（ステップＳ２３；Ｙｅｓ）、撮影依頼を受諾する旨を示す受諾信号が第１撮像装置Ａに送信され（ステップＳ２４）、一方、撮影依頼の受諾が選択指示されないと判別された場合（ステップＳ２３；Ｎｏ）。撮影依頼を拒否する旨を示す拒否信号が第１撮像装置Ａに送信される（ステップＳ２５）。
【００７０】
受諾信号又は拒否信号が第１撮像装置Ａに送信された後（ステップＳ２４後又はステップＳ２５後）、ステップＳ２１に戻る。
【００７１】
撮影依頼信号が受信されていないと判別した場合（ステップＳ２１；Ｎｏ）、第１撮像装置Ａから撮影依頼情報が受信されたか否かが判別される（ステップＳ２６）。
【００７２】
撮影依頼情報が受信されたと判別された場合（ステップＳ２６；Ｙｅｓ）、後述する撮影依頼モード設定処理が実行され（ステップＳ２７）、撮影依頼モード設定処理後、ステップＳ２１に戻る。
【００７３】
撮影依頼情報が受信されていないと判別された場合（ステップＳ２６；Ｎｏ）、第１撮像装置Ａから画像送信要求信号が受信されたか否かが判別される（ステップＳ２８）。
【００７４】
画像送信要求信号が受信されたと判別された場合（ステップＳ２８；Ｙｅｓ）、後述する依頼画像データ送信処理が実行され（ステップＳ２９）、依頼画像データ送信処理後、ステップＳ２１に戻る。
【００７５】
画像送信要求信号が受信されていないと判別された場合（ステップＳ２８；Ｎｏ）、後述する撮影処理やその他処理が実行され（ステップＳ３０）、撮影処理やその他処理が実行された後、ステップＳ２１に戻る。
【００７６】
図６に、第２撮像装置Ｂにおいて実行される撮影依頼モード設定処理を示す。
第１撮像装置Ａから撮影依頼情報が受信された場合、自機（第２撮像装置Ｂ）の設定画像処理条件が制御部１０内の内部ＲＡＭ又は設定画像処理条件が記憶されている記憶領域とは異なる記憶部１６の記憶領域内に一時保存される（ステップＳ３１）。
【００７７】
記憶部１６に予め記憶されている第２撮像装置Ｂの複数の画像処理条件と第１撮像装置Ａから受信した設定撮影依頼情報とが比較参照され（ステップＳ３２）、複数の画像処理条件内に設定依頼画像処理条件に該当する画像処理条件が有るか否かが判別される（ステップＳ３３）。
【００７８】
複数の画像処理条件内に設定依頼画像処理条件に該当する画像処理条件が有りと判別された場合（ステップＳ３３；Ｙｅｓ）、設定依頼画像処理条件が第２撮像装置Ｂの設定画像処理条件として設定され（ステップＳ３４）、撮影モードが撮影依頼モードに設定され（ステップＳ３５）、撮影依頼モード設定処理が終了される。
【００７９】
複数の画像処理条件内に設定依頼画像処理条件に該当する画像処理条件が無いと判別された場合（ステップＳ３３；Ｎｏ）、複数の画像処理条件と未参照の依頼画像処理条件が有るか否かが判別される（ステップＳ３６）。
【００８０】
未参照の依頼画像処理条件が有りと判別された場合（ステップＳ３６；Ｙｅｓ）、設定依頼画像処理条件が未参照の依頼画像処理条件に変更され（ステップＳ３７）、ステップＳ３２に戻る。
【００８１】
設定依頼画像処理条件が未参照の依頼画像処理条件に変更される場合、変更される依頼画像処理条件の順番は、予め優先順位が設定されている。優先順位は、なるべく第１撮像装置Ａに当初設定されていた設定依頼画像処理条件に近い画像データが得られるように設定されている。
【００８２】
未参照の依頼画像処理条件が無しと判別された場合（ステップＳ３６；Ｎｏ）、撮影不可信号が第１撮像装置Ａに送信され（ステップＳ３８）、記憶部１６に記憶されている第１撮像装置Ａから受信した撮影依頼情報及び機種コードが削除され（ステップＳ３９）、撮影依頼モード設定処理が終了される。
【００８３】
第１撮像装置Ａから撮影を依頼されたにも拘わらず、撮影が行えなかった場合、受信した撮影依頼情報及び設定撮影依頼情報、機種コードが削除されることによって、第２撮像装置Ｂの記憶部１６の記憶領域の負荷を低減することができ、有効活用させることができる。
【００８４】
図７に、第２撮像装置Ｂにおいて実行される撮影処理を示す。
撮影モードが、撮影依頼モードに設定されているか否かが判別される（ステップＳ４１）。撮影モードが撮影依頼モードに設定されていないと判別された場合、即ち、通常の撮影モードに設定されている場合（ステップＳ４１；Ｎｏ）、被依頼者によって入力部１４が操作されることにより撮影が実行され、撮像部１１によって生成された画像データが画像処理メモリ１５内において設定画像処理条件に基づいて各種処理が実行され、メモリカードＩ／Ｆ１７を介してメモリカードに記憶され（ステップＳ４２）、撮影処理が終了される。
【００８５】
撮影モードが撮影依頼モードに設定されていると判別された場合（ステップＳ４１；Ｙｅｓ）、被依頼者によって入力部１４が操作されることにより撮影が実行されると、撮影終了時（画像データが生成された後）から予め設定された所定時間経過しているか否かが判別される（ステップＳ４３）。
【００８６】
所定時間経過していないと判別された場合（ステップＳ４３；Ｎｏ）、撮像部１１によって生成された画像データが画像処理メモリ１５内において撮影依頼モード設定処理において変更された設定画像処理条件に基づいて各種処理が実行され、記憶部１６内の依頼画像記憶エリアに記憶される（ステップＳ４４）。
【００８７】
依頼画像記憶エリアに記憶された画像データに設定画像処理条件が付加され（ステップＳ４５）、更に撮影日時が付加されて（ステップＳ４６）記憶され、撮影処理が終了される。
【００８８】
所定時間経過していると判別された場合（ステップＳ４３；Ｙｅｓ）、記憶部１６に記憶されている第１撮像装置Ａから受信された撮影依頼情報及び機種コードが削除され（ステップＳ４７）、更に依頼画像記憶エリアに記憶されている画像データが削除される（ステップＳ４８）。
【００８９】
そして、撮影依頼モードに設定されている撮影モードが通常の撮影モードに設定され（ステップＳ４９）、制御部１０内の内部ＲＡＭ又は設定画像処理条件が記憶されている記憶領域とは異なる記憶部１６の記憶領域内に一時保存されている自機（第２撮像装置Ｂ）の設定画像処理条件が読み出され、設定画像処理条件として再設定される（ステップＳ５０）。
【００９０】
撮影後、予め設定された時間が経過した場合、依頼されて撮影した画像データが削除されることにより、撮影を依頼した撮像装置（第１撮像装置Ａ）に関する画像データの無断利用が避けられると共に、依頼された撮像装置（第２撮像装置Ｂ）の記憶部１６の記憶領域の負荷を低減することができ、有効活用させることができる。
【００９１】
また、第１撮影装置Ａから受信した撮影依頼情報に基づいて変更された撮像装置（第２撮像装置Ｂ）の設定画像処理条件を元の自機の設定画像処理条件に容易に戻すことができるため、被依頼者に対する利便性を向上し得ることができる。
【００９２】
図８に、第２撮像装置Ｂにおいて実行される依頼画像データ送信処理を示す。
第１撮像装置Ａから画像送信要求信号が受信された場合、画像送信要求信号と共に受信した機種コードが、撮影依頼を受けたときに記憶部１６に記憶された機種コードと一致するか否かが判別される（ステップＳ５１）。
【００９３】
機種コードが一致しないと判別された場合（ステップＳ５１；Ｎｏ）、画像送信要求信号を送信してきた撮像装置には撮影を依頼されておらず、送信すべき画像データを記憶していないと判別され、送信不可信号が送信される（ステップＳ５２）。
【００９４】
機種コードが一致すると判別された場合（ステップＳ５１；Ｙｅｓ）、依頼画像記憶エリアに記憶されている画像データが読みだされ、外部Ｉ／Ｆを介して送信される（ステップＳ５３）。
【００９５】
第１撮像装置Ａから画像データの受信状態である旨が受信されているか否か（即ち、画像送信要求信号を送信してきた撮像装置は、画像データの受信状態か否か）が判別され（ステップＳ５４）、受信状態でないと判別された場合（ステップＳ５４；Ｎｏ）、ステップＳ５３に戻る。
【００９６】
受信状態であると判別された場合（ステップＳ５４；Ｙｅｓ）、依頼画像記憶エリアに記憶されている全ての画像データの送信が完了されたか否かが判別され（ステップＳ５５）、依頼画像記憶エリアに記憶されている全ての画像データの送信が未完了であると判別された場合（ステップＳ５５；Ｎｏ）、ステップＳ５３に戻る。
【００９７】
依頼画像記憶エリアに記憶されている全ての画像データの送信が完了されたと判別された場合（ステップＳ５５；Ｙｅｓ）、画像送信完了信号が第１撮像装置Ａに送信される（ステップＳ５６）。
【００９８】
画像送信完了信号が送信された後（ステップＳ５６後）、記憶部１６に記憶されている第１撮像装置Ａから受信された撮影依頼情報及び機種コードが削除され（ステップＳ５７）、更に依頼画像記憶エリアに記憶されている画像データが削除される（ステップＳ５８）。
【００９９】
そして、撮影依頼モードに設定されている撮影モードが通常の撮影モードに設定され（ステップＳ５９）、制御部１０内の内部ＲＡＭ又は設定画像処理条件が記憶されている記憶領域とは異なる記憶部１６の記憶領域内に一時保存されている自機（第２撮像装置Ｂ）の設定画像処理条件が読み出され、設定画像処理条件として再設定され（ステップＳ６０）、依頼画像データ送信処理が終了される。
【０１００】
撮影を依頼した撮像装置（第１撮像装置Ａ）に対して撮影した画像データを送信した後、依頼されて撮影した画像データを削除することにより、撮影を依頼した撮像装置に関する画像データの無断利用を避ける共に、依頼された撮像装置（第２撮像装置Ｂ）の記憶部１６の記憶領域の負担を低減することができ、有効活用させることができる。
【０１０１】
このように、本実施の形態によれば、他の撮像装置（第１撮像装置Ａ）から撮影依頼情報を受信した場合、撮影依頼情報に対応する画像処理条件に基づいて画像データが生成され、生成された画像データが他の撮像装置（第１撮像装置Ａ）に送信されることにより、他の撮像装置（第１撮像装置Ａ）を操作せずに使い慣れた自身の撮像装置（第２撮像装置Ｂ）で撮影を行うことができるため、操作ミスや破損事故等のトラブルを防止しすることができ、他の撮像装置（第１撮像装置Ａ）を所持する依頼者及び自機（第２撮像装置Ｂ）を所持する被依頼者相互に対する利便性、汎用性を向上させることができる。
【図面の簡単な説明】
【０１０２】
【図１】本実施の形態における第２撮像装置Ｂの構成要素を示すブロック図である。
【図２】撮像部１１の内部構成を模式的に示した図である。
【図３】本実施の形態における第１撮像装置Ａが第２撮像装置Ｂに撮影を依頼するときの撮影依頼処理である。
【図４】本実施の形態における第１撮像装置Ａが第２撮像装置Ｂから依頼した依頼画像データを受信するときの依頼画像データ受信処理である。
【図５】本実施の形態における第２撮像装置Ｂのメインフローである。
【図６】第２撮像装置Ｂにおいて実行される撮影依頼モード設定処理である。
【図７】第２撮像装置Ｂにおいて実行される撮影処理である。
【図８】第２撮像装置Ｂにおいて実行される依頼画像データ送信処理である。
【符号の説明】
【０１０３】
１０  制御部
１１  撮像部
１１１  センサ部
１１２  光学系駆動部
１１３  駆動回路
１１４  撮像素子
１１５  アナログ処理回路
１１６  Ａ／Ｄ回路
１１７  バッファ
１１８  信号処理回路
１１９  圧縮伸張回路
１２０  レンズ
１２１  シャッタ
１２  表示部
１３  ファインダ部
１４  入力部
１５  画像処理用メモリ
１６  記憶部
１７  メモリカードＩ／Ｆ
１８  外部Ｉ／Ｆ
１９  バス
Ａ  第１撮像装置
Ｂ  第２撮像装置
【図１】
2006237838.tif 000003
【図２】
2006237838.tif 000004
【図３】
2006237838.tif 000005
【図４】
2006237838.tif 000006
【図５】
2006237838.tif 000007
【図６】
2006237838.tif 000008
【図７】
2006237838.tif 000009
【図８】
2006237838.tif 000010